(57)【要約】【課題】必要な情報を記載する記載欄の誤りを抑制する仕組みを提供する。【解決手段】本画像形成装置は、必要な記載欄のみを申請書に形成し、当該箇所に記載された申請書がスキャンされると、さらに追加の記載欄を形成し、申請人に記載を促す。これらの処理を繰り返すことにより、申請人による記載が完了した申請書を作成する。【選択図】  図１４
2016165077.tif 000002
【特許請求の範囲】
【請求項１】
画像形成装置であって、
第１の画像が形成された原稿を読み取る読取手段と、
前記読取手段によって読み取られた読み取り結果に応じて、前記原稿のフォームを特定する特定手段と、
前記特定手段によって特定されたフォームに基づき、第２の画像を決定する決定手段と、
前記決定手段によって決定された前記第２の画像を前記原稿に形成する画像形成手段と
を備えることを特徴とする画像形成装置。
【請求項２】
複数のフォームのテンプレートを記憶する記憶手段をさらに備え、
前記特定手段は、
複数の前記テンプレートのうち、類似度が最も高いテンプレートを前記原稿のフォームとして特定することを特徴とする請求項１に記載の画像形成装置。
【請求項３】
前記特定手段は、
前記読取手段によって読み取られた前記第１の画像と、前記テンプレートとの画像との差分を類似度として取得する取得手段を備え、
前記取得手段によって取得された差分が最も小さいテンプレートを類似度の最も高いテンプレートと判断することを特徴とする請求項２に記載の画像形成装置。
【請求項４】
前記取得手段は、前記原稿に形成されている前記第１の画像の画素と、対応する前記テンプレートの画素との濃度レベルを比較して、当該濃度レベルが所定の閾値以上異なる場合に差分のある画素と特定し、差分のある画素数が最も少ないテンプレートを前記差分が最も小さいテンプレートと判断することを特徴とする請求項３に記載の画像形成装置。
【請求項５】
前記特定手段は、前記読取手段によって読み取られた前記第１の画像から、前記原稿の所定の領域に画像があるか否かをさらに特定し、
前記決定手段は、前記特定手段によって特定されたフォームと、前記原稿の所定の領域に画像があるか否かの特定結果とに基づいて、前記第２の画像を決定することを特徴とする請求項１乃至４の何れか１項に記載の画像形成装置。
【請求項６】
前記特定手段は、前記読取手段によって読み取られた前記第１の画像から、文字を特定し、
前記決定手段は、前記特定手段によって特定されたフォームと、前記特定された文字とに基づいて、前記第２の画像を決定することを特徴とする請求項１乃至４の何れか１項に記載の画像形成装置。
【請求項７】
前記第１の画像は、ユーザによって前記原稿に記載された画像であることを特徴とする請求項１乃至６の何れか１項に記載の画像形成装置。
【請求項８】
前記原稿には、該原稿のフォームを示すフォーム情報が形成されており、
前記特定手段は、前記読取手段によって読み取られた前記第１の画像から、前記フォーム情報を取得し、該フォーム情報に基づき前記原稿のフォームを特定することを特徴とする請求項１に記載の画像形成装置。
【請求項９】
前記フォーム情報は、二次元バーコードで形成されていることを特徴とする請求項８に記載の画像形成装置。
【請求項１０】
前記読取手段、前記特定手段、前記決定手段、及び前記画像形成手段の処理が繰り返し実行されることによって、前記原稿が完成することを特徴とする請求項１乃至９の何れか１項に記載の画像形成装置。
【請求項１１】
前記原稿は、所定機関への申請書であることを特徴とする請求項１乃至１０の何れか１項に記載の画像形成装置。
【請求項１２】
前記画像形成手段によって１回に形成される前記第２の画像は、前記申請書の１つの情報に関連する項目を記載するための記載欄であることを特徴とする請求項１１に記載の画像形成装置。
【発明の詳細な説明】
【技術分野】
【０００１】
本発明は、原稿自動搬送装置（ＡＤＦ）を備える、複写機、又はレーザビームプリンタ等の画像形成装置に関する。
【背景技術】
【０００２】
例えば、代金自動払込利用申込書等の申込書は、複数の金融機関によって必要な情報を記載する記載枠が異なるものがある。記載者は、複数の記載欄の中から所望の欄を選び、そこに必要な情報を記載している。上述のような記載形態に対して、特許文献１には、記載者の負担軽減のためペンコンピュータを用いた申請書受付処理装置が提案されている。
【先行技術文献】
【特許文献】
【０００３】
【特許文献１】特開平０６−３２５０５８号公報
【発明の概要】
【発明が解決しようとする課題】
【０００４】
しかしながら、上記従来技術には以下に記載する課題がある。上記従来技術では、コンピュータを介したペン入力方式を用いることにより、記載を効率的に入力することはできる。しかし、複数の記載欄のうち、必要な情報を記載する記載欄を誤ってしまい、ユーザビリティを低下させてしまう可能性があった。
【０００５】
本発明は、上述の課題を鑑みて成されたものであり、必要な情報を記載する記載欄の誤りを抑制することを目的とする。
【課題を解決するための手段】
【０００６】
本発明は、画像形成装置であって、第１の画像が形成された原稿を読み取る読取手段と、前記読取手段によって読み取られた読み取り結果に応じて、前記原稿のフォームを特定する特定手段と、前記特定手段によって特定されたフォームに基づき、第２の画像を決定する決定手段と、前記決定手段によって決定された前記第２の画像を前記原稿に形成する画像形成手段とを備えることを特徴とする。
【発明の効果】
【０００７】
本発明によれば、必要な情報を記載する記載欄の誤りを抑制することができる。
【図面の簡単な説明】
【０００８】
【図１】一実施形態に係る画像形成装置を示す図。
【図２】一実施形態に係る両面印刷のプロセスを説明するための図。
【図３】一実施形態に係る原稿の第１面の画像情報の読み取りが開始される動作を説明するための図。
【図４】一実施形態に係る原稿が反転搬送路から原稿搬送路へ搬送される動作を説明するための図。
【図５】一実施形態に係る原稿の第２面の画像情報の読み取りが開始される動作を説明するための図。
【図６】一実施形態に係る原稿が原稿搬送路から第２排紙部へ排出される動作を説明するための図。
【図７】一実施形態に係る画像形成を説明するための図。
【図８】一実施形態に係る原稿上の両面に印刷を行う処理（追記プリント処理）の動作を説明する図。
【図９】一実施形態に係る画像形成装置のプリンタ制御部の内部構成を示す図。
【図１０】一実施形態に係る操作部を示す図。
【図１１】一実施形態に係る画像読取部の構成を説明する図。
【図１２】一実施形態に係る画像形成装置のハードウェア構成の一例を示した図。
【図１３】一実施形態に係るプリントシステムのソフトウェア構成の一例を示した図。
【図１４】一実施形態に係る原稿へのプリント処理を表すフローチャート。
【図１５Ａ】、
【図１５Ｂ】、
【図１５Ｃ】、
【図１５Ｄ】、
【図１５Ｅ】、
【図１５Ｆ】、
【図１５Ｇ】、
【図１５Ｈ】一実施形態に係る貯金口座振替依頼書を示した図。
【図１６Ａ】、
【図１６Ｂ】一実施形態に係るテンプレートマッチングを説明する図。
【図１７】一実施形態に係る２次元バーコードを示す図。
【図１８Ａ】、
【図１８Ｂ】、
【図１８Ｃ】、一実施形態に係る貯金口座振替依頼書を示した図。
【図１９】一実施形態に係る文字認識領域切り出しを説明した図。
【発明を実施するための形態】
【０００９】
以下、添付図面を参照して本発明の実施形態を詳しく説明する。なお、以下の実施形態は特許請求の範囲に係る本発明を限定するものでなく、また本実施形態で説明されている特徴の組み合わせの全てが本発明の解決手段に必須のものとは限らない。
【００１０】
＜第１の実施形態＞
＜画像形成装置＞
以下では、本発明の第１の実施形態について説明する。まず、図１を参照して、本実施形態の画像形成装置１の構成について説明する。図１は、画像形成装置１の断面を示す。
【００１１】
画像形成装置１は、印字紙や転写紙、又はＯＨＰシート等の記録材Ｓを収納する第１給紙部３と、第１給紙部３から記録材Ｓを搬送する第１の搬送路（以降、記録材搬送路と称する。）５と、搬送された記録材Ｓを積載する第１排紙部７と、電装８と、及び光学ユニット１１を備える。電装８の詳細については図９及び図１２をもちいて後述する。また、画像形成装置１は、画像情報を記載した原稿Ｇを収納する第２給紙部１３、第２給紙部１３から原稿Ｇを搬送する第２の搬送路（以降、原稿搬送路と称する。）１５、第３の搬送路（以降、原稿搬送路と称する。）１６、及び搬送された原稿Ｇを排出する第２排紙部１７を備える。
【００１２】
記録材搬送路５には、記録材Ｓに画像を印刷する印刷部２１、記録材Ｓを搬送するＣＳＴ（カセットトレイ）ピックアップローラ２３、分離部２５、搬送ローラ２７、排紙ローラ２９、及び両面印刷のための両面フラッパ３１が備えられる。原稿搬送路１５には、原稿Ｇ又は記録材Ｓの表裏の面を反転させて搬送する反転搬送路３３、原稿Ｇを搬送するＣＩＳ（Ｃｏｎｔａｃｔ  Ｉｍａｇｅ  Ｓｅｎｓｏｒ）ピックアップローラ３５、分離部３７、及び搬送ローラ３９、４１が備えられる。原稿搬送路１６には、搬送ローラ４３、排紙ローラ４５、及びスイッチバックフラッパ４７が備えられる。原稿搬送路１６は、スイッチバックフラッパ４７の位置で反転搬送路３３と連結している。反転搬送路３３は、両端がそれぞれ搬送ローラ２７及び排紙ローラ２９の位置で記録材搬送路５と連結している。反転搬送路３３と原稿搬送路１５との間には、画像読取部５０と、画像読取部５０に対面する位置に白基準部材５１とが備えられる。本実施形態では、搬送手段の一例として、記録材搬送路５、ＣＳＴピックアップローラ２３、分離部２５、搬送ローラ２７、排紙ローラ２９、両面フラッパ３１、ＣＩＳピックアップローラ３５、分離部３７、搬送ローラ３９、４１、搬送ローラ４３、排紙ローラ４５、スイッチバックフラッパ４７、スイッチバックフラッパ４７、搬送ローラ２７、及び排紙ローラ２９を基に以降の説明を行う。
【００１３】
また、本実施形態では、読取手段の一例として、画像読取部５０を基に以降の説明を行う。光学ユニット１１は、後述の図１２に示すプリンタ制御部１２６０からの印刷信号を受けてレーザ光を印刷部２１に照射する発光部５３を備える。本実施形態に係る画像形成装置１では、光学ユニット１１と印刷部２１とにより画像形成部の一例を構成している。
【００１４】
また、本実施形態では、印刷手段の一例として、印刷部２１を基に以降の説明を行う。印刷部２１は、感光ドラム６１、現像ローラ６３、転写部６５、及び定着部６７で構成される。定着部６７は、加熱ローラ６９及び加圧ローラ７１で構成される。感光ドラム６１は、回転可能な像担持体である。現像ローラ６３は、感光ドラム６１と並接し、トナーを保持しながら回転する。光学ユニット１１が印刷信号を受けると、発光部５３は、回転する感光ドラム６１の表面にレーザ光を照射する。レーザ光が照射された感光ドラム６１の表面には、電荷による静電潜像が形成される。現像ローラ６３が回転しながら、感光ドラム６１の表面に形成された静電潜像にトナーを供給すると、感光ドラム６１の表面にはトナー画像が形成される。感光ドラム６１には、記録材Ｓにそのトナー画像を転写する転写部６５が並接されている。
【００１５】
第１給紙部３に収納された記録材Ｓは、ＣＳＴピックアップローラ２３と分離部２５によって一枚ずつ記録材搬送路５の搬送ローラ２７に搬送される。図１において、太い線の矢印は、記録材Ｓと記録材Ｓの進行方向を示す。なお、図２乃至図８においても同様である。搬送ローラ２７は、感光ドラム６１の表面上にあるトナー画像と記録材Ｓの先端とが合うようにタイミングを調整して、記録材Ｓを転写部６５へ搬送する。
【００１６】
トナー画像は、感光ドラム６１の回転によって転写部６５に搬送され、転写部６５に付与される印加バイアスと圧力とによって記録材Ｓに転写される。転写部６５によってトナー画像が転写された記録材Ｓは、その後定着部６７に搬送される。定着部６７では、回転可能な加熱ローラ６９からの熱と加圧ローラ７１による圧力とによりトナー画像が記録材Ｓに定着される。トナー画像が定着された記録材Ｓは、排紙ローラ２９によって搬送される。片面印刷の場合には、排紙ローラ２９は、記録材Ｓを第１排紙部７に排出する。一方、両面印刷の場合には、排紙ローラ２９は、記録材Ｓを記録材搬送路５と連結している反転搬送路３３へ搬送する。
【００１７】
＜電装＞
次に、本実施形態に係る電装８の詳細な構成について説明する。電装８は、相互に接続されるコントロールユニット１２００と、プリンタ制御部１２６０との２つの制御部から構成される。ここでは、図９を参照して、本実施形態の画像形成装置１におけるプリンタ制御部１２６０の内部構成について詳細に説明する。プリンタ制御部１２６０の内部には、制御手段の一例である制御ＣＰＵ８０１によって制御される各ユニットが備えられる。
【００１８】
制御ＣＰＵ８０１は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）８０２を介して、ポリゴンミラー、モータ及びレーザ発光素子などを含む発光部５３に接続されている。ＡＳＩＣ８０２は、制御ＣＰＵ８０１の制御負荷の低減を図るために用いられている。制御ＣＰＵ８０１は、感光ドラム６１の表面にレーザ光を走査して所望の静電潜像を形成するために、ＡＳＩＣ８０２に制御信号を送信して発光部５３を制御する。
【００１９】
制御ＣＰＵ８０１は、バス等を介してプログラムメモリ８０３に接続されている。プログラムメモリ８０３には、制御ＣＰＵ８０１によって行われる処理の全て又は一部を実行するためのプログラム及びデータが格納されている。即ち、制御ＣＰＵ８０１は、プログラムメモリ８０３に格納されたプログラム及びデータを用いて以下で説明する処理を実行する。制御ＣＰＵ８０１は、さらに、電子写真プロセスに必要な帯電、現像、転写などを制御する高電圧電源ユニット８１０と、定着を制御する電源ユニット８１１とを制御する。また、制御ＣＰＵ８０１は、定着部６７に設けられたサーミスタにより温度をモニタし、定着温度を一定に保つための制御を行う。
【００２０】
制御ＣＰＵ８０１は、両面フラッパソレノイド８２０、スイッチバックソレノイド８２１などの駆動系を制御する。また、制御ＣＰＵ８０１は、記録材Ｓを搬送するために、ＡＳＩＣ８０２に制御信号を送信して、ＣＳＴ給紙ソレノイド８２２、ＣＩＳ給紙ソレノイド８２３、メインモータ８３０、及び両面駆動モータ８４０などの駆動系を制御する。メインモータ８３０は、ＣＳＴピックアップローラ２３、搬送ローラ２７、感光ドラム６１、転写部６５、加熱ローラ６９、及び加圧ローラ７１などを駆動する。ＣＳＴ給紙ソレノイド８２２は、記録材Ｓを給紙する給紙ローラの駆動開始時にオンにして、ＣＳＴピックアップローラ２３を駆動する。両面駆動モータ８４０は、ＣＩＳピックアップローラ３５、搬送ローラ３９、４１、４３、及び排紙ローラ４５を駆動する。
【００２１】
ＡＳＩＣ８０２は、制御ＣＰＵ８０１の指示に基づいて発光部５３内部のモータの速度制御、メインモータ８３０の速度制御、及び両面駆動モータ８４０の速度制御を行う。このようなモータの速度制御では、上述した各モータからのタック信号を検出して、タック信号の間隔が所定の時間となるように加速信号又は減速信号をモータに送信する。タック信号とは、モータが回転するごとにモータから出力されるパルス信号である。
【００２２】
図１２に示すように、プリンタ制御部１２６０は、コントロールユニット１２００に接続されている。コントロールユニット１２００に含まれる画像形成ＣＰＵ１２１１は、操作画面を表示するよう操作部８０５を制御したり、ユーザからのコマンドを操作部８０５を介して受信する。さらに、画像形成ＣＰＵ１２１１は、操作部８０５を介して受信したコマンドや、ホストコンピュータから受信したコマンドを、プリンタ制御部１２６０へ通知する。
【００２３】
制御ＣＰＵ８０１は、コピーコマンドを画像形成ＣＰＵ１２１１から受信した場合や、ホストコンピュータから画像形成ＣＰＵ１２１１経由でプリントコマンドを受信した場合に、メインモータ８３０、両面駆動モータ８４０を駆動させて、記録材Ｓを搬送させる。感光ドラム６１の表面に形成されたトナー画像が、転写部６５によって記録材Ｓに転写され、定着部６７によって記録材Ｓに定着される。その後、記録材Ｓは、第１排紙部７に排出される。画像形成済みの記録材Ｓの整列性を高めるため、第１排紙部７には、排紙口付近から記録材Ｓの排出方向に向けて緩やかな上がり勾配が設けられている。制御ＣＰＵ８０１は、定着部６７に所定の電力を供給するよう電源ユニット８１１を制御する。定着部６７は、所定の熱量を発生させてその熱量を記録材Ｓに与え、記録材Ｓ上のトナー画像を融着させ、トナー画像を記録材Ｓに定着させる。
【００２４】
制御ＣＰＵ８０１は、コピーコマンドを画像形成ＣＰＵ１２１１から受信した場合、或いは、ホストコンピュータから画像形成ＣＰＵ１２１１経由でスキャンコマンドを受信した場合には、両面駆動モータ８４０を駆動させる。両面駆動モータ８４０のトルクがＣＩＳピックアップローラ３５に伝達され、ＣＩＳピックアップローラ３５が原稿Ｇを搬送する。画像読取部５０は、信号線８６０を介して後述するデバイスＩ／Ｆ１２５２と接続されている。
【００２５】
＜操作部＞
次に、図１０を参照して、本実施形態に係る操作部８０５の構成例について説明する。操作部８０５は、表示部９０１及びキーボード９０２を備える。キーボード９０２はまた、テンキー９０３、ストップキー９０４、ユーザモードキー９０５、及びスタートキー９０６を備える。
【００２６】
表示部９０１は、タッチパネルシートが貼られた液晶ディスプレイから構成され、操作画面やソフトキーを表示する。表示部９０１は、ソフトキーが押下されると、押下された位置を示す位置情報を操作部Ｉ／Ｆ１２１５に送信する。操作部Ｉ／Ｆ１２１５は、その位置情報に基づいて、ユーザのコマンドを判別する。
【００２７】
テンキー９０３は、数字と文字を入力するためのキーであり、コピー部数の設定や画面の切り替えで使われる。ストップキー９０４は、稼働中の動作を止めるためのキーである。ユーザモードキー９０５は、画像形成装置１の設定を行うためのキーである。スタートキー９０６は、画像情報の読み取りの開始や印刷の開始を指示するためのキーである。スタートキー９０６の中央には、２色ＬＥＤ９０７が設けられる。例えば、ＬＥＤ９０７が緑色であるときはスタートキー９０６が使えることを示し、ＬＥＤ９０７が赤色であるときはスタートキー９０６が使えないことを示す。
【００２８】
＜画像読取部＞
次に、図１１を参照して、本実施形態に係る画像形成装置１に設けられる画像読取部５０の構成例について説明する。図１１では、ＣＩＳ（Ｃｏｎｔａｃｔ  Ｉｍａｇｅ  Ｓｅｎｓｏｒ）１００１の回路ブロックを示している。ＣＩＳ１００１では、例えば１０，３６８画素分のフォトダイオードが特定の主走査密度（例えば、１，２００ｄｐｉ）でアレイ状に配置されている。
【００２９】
画像読取部５０は、図１２に示すデバイスＩ／Ｆ１２５２からスタートパルス（ＣＩＳＳＴＡＲＴ）信号１００２、発光素子制御（ＣＩＳＬＥＤ）信号１００３、及びｓｌ＿ｉｎ信号１００４を受信する。さらに、画像読取部５０は、デバイスＩ／Ｆ１２５２からｓｌ＿ｓｅｌｅｃｔ信号１００５、ＣＩＳの動作速度を決めるシステムクロック（ＳＹＳＣＬＫ）信号１００６を受信する。なお、ＣＩＳＳＴＡＲＴ信号１００２、ＣＩＳＬＥＤ信号１００３、ｓｌ＿ｉｎ信号１００４、ｓｌ＿ｓｅｌｅｃｔ信号１００５、及びＳＹＳＣＬＫ信号１００６は、図１２に示す画像読取部５０とデバイスＩ／Ｆ１２５２を接続する信号線８６０により伝送される。
【００３０】
また、画像読取部５０は、デバイスＩ／Ｆ１２５２に対して、ｓｌ＿ｏｕｔ信号１００７を送信する。ｓｌ＿ｏｕｔ信号１００７は、図１２に示す画像読取部５０とデバイスＩ／Ｆ１２５２を接続する信号線８６０により伝送される。
【００３１】
発光素子１０２０は、電流増幅部１００９によって増幅された電流に基づいて発光し、原稿Ｇを均一に照射する。ＣＩＳＳＴＡＲＴ信号１００２がアクティブになると、ＣＩＳ１００１は、受けた光に基づく電荷の蓄積を開始し、出力バッファ１０１０にデータを順次セットする。転送クロック（ＣＩＳＣＬＫ）信号１０１１がシフトレジスタ１０１２に与えられると、シフトレジスタ１０１２は、出力バッファ１０１０にセットされたデータをＣＩＳＳＮＳ信号１０１３としてＡ／Ｄコンバータ１００８に転送する。ＣＩＳＣＬＫ信号１０１１の周波数は、例えば５００ｋＨｚ〜１ＭＨｚである。
【００３２】
ＣＩＳＳＮＳ信号１０１３には所定のデータ保障領域があるため、ＣＩＳＣＬＫ信号１０１１の立ち上がりタイミングから所定の時間が経過した後にＣＩＳＳＮＳ信号１０１３のサンプリングが行われる。ＣＩＳＳＮＳ信号１０１３は、ＣＩＳＣＬＫ信号１０１１の立ち上がりと立ち下りの双方のエッジに同期して出力される。Ａ／Ｄコンバータ１００８のサンプリング速度を決定するＣＩＳサンプリングクロック（ＡＤＣＬＫ）信号１０１５の周波数は、ＣＩＳＣＬＫ信号１０１１の周波数の２倍となるように生成される。そして、ＡＤＣＬＫ信号１０１５の立ち上がりのエッジにより、ＣＩＳＳＮＳ信号１０１３がサンプリングされる。タイミングジェネレータ１０１６は、ＳＹＳＣＬＫ信号１００６を分周して、ＡＤＣＬＫ信号１０１５及びＣＩＳＣＬＫ信号１０１１を生成する。ＡＤＣＬＫ信号１０１５の位相は、ＣＩＳＣＬＫ信号１０１１と比べて、データ保障領域分だけ遅延している。
【００３３】
Ａ／Ｄコンバータ１００８でデジタル変換されたＣＩＳＳＮＳ信号１０１３は、出力インターフェース回路１０１７によって所定のタイミングでｓｌ＿ｏｕｔ信号１００７として送信される。ｓｌ＿ｏｕｔ信号１００７はシリアルデータである。その際、ＣＩＳＳＴＡＲＴ信号１００２から所定画素数分のＣＩＳＳＮＳ信号１０１３は、アナログ出力基準電圧であるため、有効画素としては使用されない。
【００３４】
制御回路１０１８は、ｓｌ＿ｉｎ信号１００４及びｓｌ＿ｓｅｌｅｃｔ信号１００５に従ってＧＡＩＮ１０１９を介してＡ／Ｄコンバータ１００８のＡ／Ｄ変換ゲインを可変に制御することができる。例えば、撮像された画像のコントラストが適切に得られない場合、Ａ／Ｄコンバータ１００８のＡ／Ｄ変換ゲインを大きくするよう制御回路１０１８に指示し、コントラストを増加させる。これにより、画像を最良なコントラストで撮影することができる。
【００３５】
図１１では、全ての画素が一つずつＣＩＳＳＮＳ信号１０１３として出力される例を説明した。しかし、画像を高速で読み取るために、複数画素をエリアごとに分割して、複数のエリアを並行してＡ／Ｄ変換してもよい。また、図１１では、画像読み取りのイメージセンサとして、ＣＩＳ１００１を一例に説明した。しかしながら、本発明はこれに限定されず、例えば、ＣＭＯＳセンサやＣＣＤセンサを適用することもできる。
【００３６】
＜動作制御＞
次に、図２乃至図８を参照して、画像形成装置１における、記録材Ｓへの印刷動作、原稿Ｇに対する読取動作、及び追記プリント動作について説明する。まず、図２を参照して、本実施形態の両面印刷の動作制御について説明する。
【００３７】
第１給紙部３に収納されている記録材Ｓは、ＣＳＴピックアップローラ２３によってピックアップされ、搬送ローラ２７によって搬送される。続いて、記録材Ｓは、転写部６５を通ってその片面にトナー画像が定着され、さらに排紙ローラ２９によって搬送される。その後、記録材Ｓの後端が両面フラッパ３１を通過した後、両面フラッパ３１は搬送路を記録材搬送路５から反転搬送路３３に切り替える。その後、排紙ローラ２９が逆回転を開始し、記録材Ｓを反転搬送路３３へ搬送する。記録材Ｓは搬送ローラ３９によって画像読取部５０に搬送される。その後、記録材Ｓは搬送ローラ４１及び搬送ローラ２７によって再び転写部６５に搬送される。記録材Ｓの裏面に対してトナー画像の転写及び定着が行われた後、第１排紙部７に排出される。
【００３８】
続いて、図３乃至図７を参照して、本実施形態の両面コピーの動作制御について説明する。なお、本実施形態では、原稿Ｇの第１面を表面とし、第２面を裏面と仮定しているが、第１面を裏面とし第２面を表面としてもよく、原稿Ｇの第１面と第２面が表面であるか否かはどちらでもよい。
【００３９】
図３は、原稿Ｇが第２給紙部１３から原稿搬送路１５へ搬送され、原稿Ｇの第１面の画像情報の読み取りが開始される様子を示す。図３において、太い線の矢印は原稿Ｇと原稿Ｇの進行方向とを示す。
【００４０】
第２給紙部１３に収納されていた原稿Ｇは、ＣＩＳピックアップローラ３５と分離部３７によって一枚ずつ搬送ローラ３９に搬送される。画像読取部５０は、原稿Ｇの第１面の読み取りを開始する前に、画像読取部５０に備えられるＣＩＳ（Ｃｏｎｔａｃｔ  Ｉｍａｇｅ  Ｓｅｎｓｏｒ）１００１の感度不均一や発光素子１０２０の不均一等に起因する画像信号の出力レベルのばらつきを補正する。具体的には、画像読取部５０は、当該補正（シェーディング補正）を行うためのシェーディング補正係数を導出する。シェーディング補正により、濃度（輝度）にムラがある画像からムラを除き、一様な明るさの画像にすることができる。シェーディング補正係数は、画像読取部５０と白基準部材５１とが対面する位置で、白基準画像と黒基準画像とから導出される。ここで、白基準画像は、発光素子１０２０が白基準部材５１へ発光した状態で画像読取部５０によって読み取られ、一方黒基準画像は発光素子１０２０が発光しない状態で画像読取部５０によって読み取られる。導出されたシェーディング補正係数を、新たなシェーディング補正係数として設定する。
【００４１】
その後、画像読取部５０は、原稿搬送路１５に備えられる反転搬送路３３に対面する位置に回転する。搬送ローラ３９は、原稿Ｇを画像読取部５０に搬送し、画像読取部５０は原稿Ｇの第１面の画像情報を読み取る。読み取られた原稿Ｇの第１面の画像情報は、コントロールユニット１２００に備えられたＲＡＭ１２１２に記憶される。なお、白基準部材５１は、ごみ付着に対する配慮がなされているため、画像形成装置１に下向きに配置されている。また、基準部材に白基準部材５１を使用しているが、基準部材は白色以外でもよい。
【００４２】
図４は、原稿Ｇの第１面の画像情報の読み取りが終了し、原稿Ｇが反転搬送路３３から原稿搬送路１６へ搬送される様子を示す。反転搬送路３３で原稿Ｇの第１面の画像情報の読み取りが開始され、画像読取部５０を通過した原稿Ｇは、搬送ローラ４１に搬送される。搬送ローラ４１は、原稿Ｇの後端がスイッチバックフラッパ４７を通過した時点で停止する。このとき、原稿Ｇは搬送ローラ４１に挟持された状態で所定時間が経過するまで停止している。この所定時間のあいだに、スイッチバックフラッパ４７は、搬送路を反転搬送路３３から原稿搬送路１６に切り替える。所定時間の経過後、搬送ローラ４１は原稿Ｇを原稿搬送路１６へ搬送する。
【００４３】
また、原稿Ｇの第１面の画像情報の読み取りが終了した後、画像読取部５０は白基準部材５１が設置されている位置に対面する位置まで回転する。ここで、白基準部材５１に対面する位置は、画像読取部５０の回転軌道上にある。画像読取部５０と白基準部材５１とが対面する位置で、白基準画像と黒基準画像とから、シェーディング補正係数が導出される。導出されたシェーディング補正係数を、新たなシェーディング補正係数として設定する。
【００４４】
図５は、原稿Ｇが反転搬送路３３から原稿搬送路１６へ搬送され、原稿Ｇの第２面の画像情報の読み取りが開始され、記録材Ｓが第１給紙部３から記録材搬送路５へ搬送される様子を示す。原稿Ｇは、所定時間が経過するまで搬送ローラ４１に挟持された状態で停止している。スイッチバックフラッパ４７が原稿Ｇの搬送路を反転搬送路３３から原稿搬送路１６に切り替えると同時に、画像読取部５０は原稿搬送路１６に対面する位置に回転する。その後、搬送ローラ４１が逆回転を開始し、原稿Ｇは原稿搬送路１６を通って画像読取部５０に搬送される。原稿Ｇが画像読取部５０を通過するときに、画像読取部５０は原稿Ｇの第２面の画像情報を読み取る。読み取られた原稿Ｇの第２面の画像情報は、コントロールユニット１２００に備えられたＲＡＭ１２１２に記憶される。
【００４５】
一方、第１給紙部３に収納されていた記録材Ｓは、一枚ずつ記録材搬送路５に備えられた搬送ローラ２７に搬送される。搬送されるのとほぼ同時に、発光部５３は、ＲＡＭ１２１２に記憶された原稿Ｇの第２面の画像情報に基づいてレーザ光を感光ドラム６１の表面に照射され、これにより静電潜像が感光ドラム６１の表面に形成される。転写部６５は、静電潜像をトナーにより現像したトナー画像を記録材Ｓに転写させ、定着部６７がトナー画像を記録材Ｓに定着させ、原稿Ｇの第２面の画像情報に基づく画像形成が完了する。図５では、原稿Ｇの第２面の画像情報の読み取りの開始とともに記録材Ｓの搬送が開始されているが、原稿Ｇの第２面の画像情報の読み取りの後に記録材Ｓの搬送が開始されてもよい。
【００４６】
図６は、原稿Ｇの第２面の画像情報の読み取りが終了し、原稿Ｇが原稿搬送路１６から第２排紙部１７へ排出され、記録材Ｓが記録材搬送路５から反転搬送路３３へ搬送される様子を示す。
【００４７】
原稿搬送路１６で第２面の画像情報を読み取られた原稿Ｇは、搬送ローラ４３及び排紙ローラ４５によって第２排紙部１７に排出される。原稿Ｇの後端がスイッチバックフラッパ４７を通過すると、スイッチバックフラッパ４７は、搬送路を原稿搬送路１６から反転搬送路３３へ切り替える。原稿Ｇの第２面の画像形成が完了すると、記録材Ｓは、排紙ローラ２９の逆回転によって、両面フラッパ３１で切り替えられた反転搬送路３３に向けて搬送される。
【００４８】
図７は、原稿Ｇの第１面への画像形成の様子を示す。原稿Ｇの第２面の画像形成が完了した記録材Ｓの後端が両面フラッパ３１を通過した後、両面フラッパ３１は搬送路を記録材搬送路５から反転搬送路３３へ切り替える。その後、排紙ローラ２９は逆回転を開始し、記録材Ｓを反転搬送路３３へ搬送する。反転搬送路３３に搬送された記録材Ｓは、画像読取部５０を通過して搬送ローラ４１によって搬送ローラ２７に搬送され、さらに搬送ローラ２７によって転写部６５に搬送される。
【００４９】
図７では、破線の矢印が記録材Ｓの搬送の様子を示す。発光部５３は、ＲＡＭ１２１２に記憶された原稿Ｇの第１面の画像情報に基づいてレーザ光を感光ドラム６１の表面に照射し、感光ドラム６１の表面には静電潜像が形成される。転写部６５は、静電潜像をトナーにより現像したトナー画像を記録材Ｓに転写し、定着部６７はトナー画像を記録材Ｓに定着して、原稿Ｇの第１面の画像情報に基づく画像形成が完了する。その後、記録材Ｓは排紙ローラ２９によって第１排紙部７に排出される。
【００５０】
図８は、原稿Ｇの第１面及び第２面の両面の画像情報を読み取り、読み取った原稿Ｇの両面に画像形成を行う追記プリント処理の様子を示す。
【００５１】
まず、第２給紙部１３に収納された原稿Ｇが、ＣＩＳピックアップローラ３５と分離部３７により、一枚ずつ搬送ローラ３９に搬送される。一方、画像読取部５０は、第２給紙部１３から給紙された原稿Ｇの第１面の読み取り開始前までにＣＩＳ１００１に起因する画像信号の出力レベルのばらつきを補正するためのシェーディング補正係数を導出する。シェーディング補正の動作については図３のところで説明したものと同様であるため、詳細な説明は省略する。
【００５２】
画像読取部５０を通過した原稿Ｇは、搬送ローラ４１に搬送される。搬送ローラ４１は、原稿Ｇの後端がスイッチバックフラッパ４７を通過した時点で停止する。よって、原稿Ｇは搬送ローラ４１に挟持された状態で停止している。所定時間の経過後、原稿搬送路１６へ搬送される。
【００５３】
スイッチバックフラッパ４７が搬送路を、反転搬送路３３から原稿搬送路１６に切り替えると同時に、画像読取部５０は、原稿搬送路１６に対面する位置に回転する。搬送ローラ４１が逆回転すると、原稿Ｇは、原稿搬送路１６に沿って、画像読取部５０に搬送される。原稿Ｇが画像読取部５０に搬送され通過することで、画像読取部５０は原稿Ｇの第２面の画像情報を読み取る。読み取られた原稿Ｇの第２面の画像情報は、ＲＡＭ１２１２に記憶される。上述までの制御により、原稿Ｇの両面の画像情報の読み取りが完了する。
【００５４】
画像情報の読み取りが終了した原稿Ｇに対して以下の制御により追記プリントを行う。まず、原稿Ｇを搬送ローラ４３及び排紙ローラ４５まで搬送する。排紙ローラ４５は、原稿Ｇの後端が画像読取部５０を通過した時点で停止する。よって、原稿Ｇは排紙ローラ４５に挟持された状態で停止している。所定時間の経過後、排紙ローラ４５は逆回転する。これにより、原稿Ｇは、原稿搬送路１６に沿って搬送ローラ４１によって、搬送ローラ２７に搬送される。搬送ローラ２７は、感光ドラム６１の表面のトナー画像と原稿Ｇの先端位置のタイミングを合わせるように、原稿Ｇを転写部６５へと搬送する。
【００５５】
感光ドラム６１の回転によりトナー画像が、転写部６５に付与される印加バイアスと圧力によって、原稿Ｇに転写される。更に、原稿Ｇは、転写部６５から定着部６７へ搬送される。定着部６７では、回転可能な加熱ローラ６９からの熱と、加熱ローラ６９と対向し、回転可能な加圧ローラ７１の圧力が、トナー画像を原稿Ｇに定着させる。トナー画像が定着された原稿Ｇは、排紙ローラ２９に搬送される。排紙ローラ２９は、原稿Ｇの後端が両面フラッパ３１を通過した時点で停止し、両面フラッパ３１は原稿Ｇが搬送ローラ３９の方向に搬送されるよう切り替える。所定時間の経過後、排紙ローラ２９が逆回転すると、原稿Ｇは、第１面から第２面に反転した状態で搬送ローラ３９に搬送される。引き続き、原稿Ｇは、搬送ローラ４１及び搬送ローラ２７によって、転写部６５及び定着部６７へと搬送され、トナー画像が印刷される。その後、原稿Ｇは排紙ローラ２９に搬送され、排紙ローラ２９は原稿Ｇを第１排紙部７に排出する。このようにして、原稿Ｇの両面の画像情報を読み取り、読み取った画像情報に従って、読取対象である原稿Ｇの両面に追記プリントを行うことができる。
【００５６】
＜制御構成＞
次に、図１２を参照して、画像形成装置１の各ソフトウェアを制御する制御構成例について説明する。コントロールユニット１２００は、画像を読み取る画像読取部５０や転写部６５や感光ドラム６１を使って原稿や記録材に画像を印刷するプリンタ制御部１２６０と接続されている。また、コントロールユニット１２００は、ネットワーク１２３０や公衆回線１２８０と接続され、画像情報やデバイス情報の入出力を行う。
【００５７】
画像形成ＣＰＵ１２１１は、画像形成装置全体を制御するプロセッサである。ＲＡＭ１２１２は、画像形成ＣＰＵ１２１１が動作するためのシステムワークメモリであり、画像データを一時記憶するための画像メモリでもある。またＲＡＭ１２１２は、画像形成ＣＰＵ１２１１の主メモリや、ワークエリア等として機能する。ＲＡＭ１２１２には、画像内の設定情報や各処理を行った時のジョブログや操作ログなどが格納される。ＲＯＭ１２１３はブートＲＯＭであり、システムのブートプログラムが格納されている。ＨＤＤ１２１４はハードディスクドライブであり、システムソフトウェア、アプリケーション、画像データを格納する。また、後述する図１４のフローチャートを実行するための制御プログラムもこのＨＤＤ１２１４に格納されてもよい。なお、これらフローチャートの各ステップは、画像形成ＣＰＵ１２１１により実行されるものである。ただし、画像形成ＣＰＵ１２１１以外のプロセッサが後述する図１４のフローチャートの各ステップを実行したり、或いは、画像形成ＣＰＵ１２１１と他のプロセッサとが協同して上記フローチャートの処理を実行したりしてもよい。
【００５８】
操作部Ｉ／Ｆ１２１５は、ディスプレイ表示やディスプレイ上からのキー入力、ハードキー入力等を制御するインターフェースであり、操作部８０５に表示する画像データを出力する。また、操作部８０５から本システム使用者が入力した情報を画像形成ＣＰＵ１２１１に伝える役割をする。ネットワークＩ／Ｆ１２１６は、ネットワーク１２３０に接続し、情報の入出力を行う。ＭＯＤＥＭ１２１７は公衆回線に接続し、情報の入出力を行う。ＳＲＡＭ１２１８は高速動作可能な不揮発性の記憶媒体である。ＲＴＣ１２１９は、リアルタイムクロックであり、コントロールユニット１２００に電源が入っていない状態でも現在の時刻をカウントし続けることができる。以上のデバイスがシステムバス１２１０上に設けられる。
【００５９】
Ｉｍａｇｅ  Ｂｕｓ  Ｉ／Ｆ１２４０はシステムバス１２１０と画像データを高速で転送する画像バス１２５０を接続し、データ構造を変換するバスブリッジである。画像バス１２５０は、ＰＣＩバス又はＩＥＥＥ１３９４などで構成される。画像バス１２５０上には以下のデバイスが配置される。ＲＩＰ部１２５１はラスターイメージプロセッサでありＰＤＬデータをビットマップイメージに展開する。デバイスＩ／Ｆ１２５２は、画像読取部５０やプリンタ制御部１２６０をコントロールユニット１２００と接続し、画像データの同期系／非同期系の変換を行う。スキャナ画像処理部１２５３は、入力画像データに対し補正、加工、及び編集を行う。プリンタ画像処理部１２５４は、プリント出力画像データに対して、プリンタの補正、解像度変換等を行う。暗号処理部１２５５は画像データを含む入力データの暗号化処理を行う。復号処理部１２５６は暗号化データの複合化処理を行う。信号線８６０は、画像読取部５０やプリンタ制御部１２６０とデバイスＩ／Ｆ１２５２とを接続する信号線である。
【００６０】
＜機能構成＞
次に、図１３を参照して、本実施形態に係る申請書管理システムの機能構成について説明する。図１３の各ブロックは、図９及び図１２の各装置によって処理されるソフトウェア（プログラム）を実行して実現される機能を表している。
【００６１】
画像形成装置１は、機能構成として、ＵＩ制御部１３０１、コマンド受信部１３０２、ジョブ制御部１３０３、スキャン処理部１３０４、フォーム認識部１３０５、フォーム管理部１３０６、プリント処理部１３０７、及びプリント画像生成部１３０８を備える。画像形成装置１は、ユーザインタフェースを制御するＵＩ制御部１３０１から受信したコマンドを解析し、解析した情報をジョブとして実行し、データを印刷又はスキャンする。
【００６２】
印刷時及びスキャン時の詳細処理について説明する。ＵＩ制御部１３０１から受信したコマンドは、画像形成装置１のコマンド受信部１３０２で受信する。そして、受信したコマンドをジョブ制御部１３０３に渡す。コマンドを受け取ったジョブ制御部１３０３は、コマンドを解析し、画像形成装置内の各ソフトウェアが解釈できるジョブを生成して、統括的に制御する。ジョブ制御部１３０３は、コマンドの印刷・スキャン設定情報に基づき、スキャン処理部１３０４、プリント処理部１３０７に処理要求を行い、プリント・スキャンジョブの実行を行う。
【００６３】
スキャン処理部１３０４は、ジョブ制御部１３０３からの要求を受けて、各デバイスを制御して、原稿Ｇをスキャンする。そして、生成したスキャン画像をジョブ制御部１３０３及びフォーム認識部１３０５に返す。フォーム認識部１３０５はスキャン処理部１３０４でスキャンされたデータと、フォーム管理部１３０６で管理しているデータとを使用してフォーム認識を行い、原稿Ｇへの印刷可能箇所の特定及び印刷追記内容の生成を行う。ここで、フォームとは、申請書等である原稿Ｇにおける入力形式等を示す。フォーム管理部１３０６は、フォーム情報とフォームに紐づく印刷情報を保持する。本実施形態では、印刷情報として印刷可能箇所、印刷データ、及び記載内容判別領域データを用いる。印刷可能箇所とは、印刷データを印刷することが可能な原稿Ｇの位置情報である。印刷データとは、印刷可能箇所ごとに画像形成する内容を示している。記載内容判別領域データとは、申請人が原稿Ｇに手書きされた内容を認識するために必要な領域の位置情報である。
【００６４】
プリント処理部１３０７は、ジョブ制御部１３０３から受け取ったジョブを画像データに変換し、各装置を制御して記録材や原稿Ｇに印刷する。プリント画像生成部１３０８ではフォーム認識部１３０５で特定した印刷情報から原稿Ｇに追記する印刷画像を生成する。本実施形態では、画像作成手段の一例としてプリント画像生成部１３０８、判定手段の一例としてフォーム認識部１３０５を基に以降の説明を行う。
【００６５】
＜処理手順＞
次に、図１４を参照して、画像形成装置１が原稿Ｇを読み込み、フォーム認識、印刷データ生成を行った後に、原稿Ｇに上書きプリントを行う処理手順について説明する。なお、以下では説明の都合上、所定機関の店頭における貯金口座振替依頼時における申請人が行う作業と、オペレータの作業と、画像形成装置１の処理とを１つのフローチャートを用いて説明する。各ステップ（Ｓ）の主体については、各ステップの説明に明示的に記載する。なお、ここでは、フローチャートを説明する上で、図１５Ａ乃至図１５Ｈを参照する。図１５Ａ乃至図１５Ｈは、本実施形態で説明する、申請書の一例である貯金口座振替依頼書を示す。当該貯金口座振替依頼書は、Ａ銀行において取り扱われている申請書であり、他の銀行で用いられているものとは異なるものである。図１５Ａは、店頭に予め用意してあるプレプリント紙である。図１５Ａの申請書に種々の処理を行うことによって、最終的に図１５Ｅ又は図１５Ｆの結果を得ることができる。
【００６６】
Ｓ１４０１で、申請人が、店頭に用意してある原稿Ｇ（図１５Ａ）に、会員番号１５０１、会員氏名１５０２、申込日１５０３、及び金融機関種別１５０４を記載する。この申請人の記載は手動で行われる。記載後の申請書を図１５Ｂに示す。
【００６７】
Ｓ１４０２で、オペレータは、原稿Ｇ（図１５Ｂ）を画像形成装置１の第２給紙部１３にセットし、操作部８０５を使用して画像形成装置１にスキャン指示を出す。ここで、画像形成装置１は、操作部８０５を介したスキャン指示をコマンド受信部１３０２によって受信する。
【００６８】
スキャン指示のコマンドを受信するとジョブ制御部１３０３の指示によりスキャン処理を開始する。具体的には、Ｓ１４０３で、スキャン処理部１３０４は、ジョブ制御部１３０３の指示に従って、画像形成装置１の第２給紙部１３に置かれた原稿Ｇ（図１５Ｂ）をスキャンする。さらに、フォーム認識部１３０５は、フォーム管理部１３０６で管理しているフォームを用いて、Ｓ１４０３でスキャンしたデータのフォームを認識し、フォームＩＤ、会員番号、及び会員氏名を取得する。
【００６９】
ここで、図１６Ａ及び図１６Ｂを参照して、フォーム認識部１３０５の動作を説明する。本実施形態では、テンプレートマッチングと呼ばれる画像演算により、フォームの認識を行う。図１６Ａの１６０１は、申請人が記載後、スキャン処理部が取得した原稿Ｇのデータであり、図１５Ｂと同等の原稿Ｇの内容である。フォームを認識するためのテンプレートの例を図１６Ａのテンプレート１６０２と、図１６Ｂのテンプレート１６０４とに示す。
【００７０】
フォーム認識部１３０５は、取得された原稿データとテンプレートとの差分を演算する。原稿データ１６０１とテンプレート１６０２との差分データが図１６Ａの演算結果１６０３であり、原稿データ１６０１とテンプレート１６０４との差分データが図１６Ｂの演算結果１６０５である。当該演算結果は、原稿とテンプレートの同一位置にドット（画素）が存在する場合はドットがなくなり、どちらかのみにドットが存在する場合は、演算結果にドットが発生するように算出される。なお、ここで、ドットとは、画像の１つの画素に対応し、ドットがあるとは当該画素が形成されていることを示し、ドットがないとは当該画素が形成されていないことを示す。つまり、ここでの演算は、原稿に形成されている画像のドット（画素）と、対応するテンプレートのドットとの濃度レベルを比較して、当該濃度レベルが所定の閾値以上異なる場合に差分のあるドットとして特定している。なお、本実施形態では画像がモノクロである場合を例に挙げているが、上述のような差分方式では、カラー画像にも容易に適用することができる。
【００７１】
最後にフォーム認識部１３０５は、演算結果に存在するドットの総数を演算する。本例の場合、演算結果１６０３のドット総数は、２４２ｄｏｔであり、演算結果１６０５のドット総数は、２７７１２ｄｏｔとなる。差分データがもっとも少ない演算結果が求めるフォームであるため、本例の場合、演算結果１６０３、即ち、テンプレート１６０２と同じ原稿であると認識することができる。上記演算は、ＳＡＤ（Ｓｕｍ  ｏｆ  Ａｂｓｏｌｕｔｅ  Ｄｉｆｆｅｒｅｎｃｅ）と呼ばれる類似度の認識方式であり、その計算式を式１に示す。
【００７２】
【数１】
2016165077.tif 000003
【００７３】
ここで、Ｉ（ｘ，ｙ）は、原稿の輝度値を示す。Ｔ（ｘ，ｙ）は、テンプレートの輝度値を示す。ここでは、類似度の演算にＳＡＤを使用したものの、ＳＳＤ（Ｓｕｍ  ｏｆ  Ｓｑｕａｒｅｄ  Ｄｉｆｆｅｒｅｎｃｅ）など他の類似度の認識方式を使用してもよい。
【００７４】
図１４の説明に戻る。Ｓ１４０３ではさらに、フォーム認識部１３０５は、２つの金融機関種別のチェックボックスのどちらにレ点が付けられているかも同時に認識する。ここでの認識方法は、フォーム管理部１３０６から例えば、Ａ銀行の支払い種別の領域及びその他銀行の支払い種別の領域を取得し、２つの領域内の黒ドットが多い方をレ点が付けられた種別であると判断するものである。なお、２つの領域内のどちらにもレ点が付けられている、又はどちらもレ点が付けられていないと判断された場合は、エラー表示を行うように制御してもよい。
【００７５】
Ｓ１４０４で、フォーム認識部１３０５は、金融機関の種別がＡ銀行にチェックされているか否かを特定する。当該特定結果に基づき、Ａ銀行にチェックされていればＳ１４０５に進み、そうでない場合はＳ１４０６に進む。
【００７６】
Ｓ１４０５で、プリント画像生成部１３０８は、金融機関の種別がＡ銀行にチェックされているため、Ａ銀行の口座情報記載欄１５０５を生成し、ＲＡＭ１２１２に格納する。その後、Ｓ１４０５ｆｒ、プリント処理部１３０７は、Ｓ１４０４で生成した印刷データを原稿Ｇに印刷し、Ｓ１４０７に進む。印刷した出力結果を図１５Ｃに示す。図１５Ｃに示すように、新たに口座名義と、指定口座との記載欄が印刷されている。このように、１回に印刷する記載欄は、１つの情報（ここでは、口座）に関連する項目の記載を求めるための記載欄のみであることが望ましい。このように制御することで、高齢者であっても申請書において記載する内容を容易に把握することができる。もちろん、設定によっては、複数の情報を印刷することも可能である。
【００７７】
Ｓ１４０７で、申請人は、原稿Ｇに追記された口座情報記載欄１５０５に、個人の口座情報１５０６を記載する。申請人が記載した結果を図１５Ｄに示す。続いて、Ｓ１４０８で、オペレータは、原稿Ｇ（図１５Ｄ）を画像形成装置１の第２給紙部１３にセットし、操作部８０５を使用して画像形成装置１にスキャン指示を出す。ここで、画像形成装置１は、操作部８０５を介したスキャン指示をコマンド受信部１３０２によって受信する。
【００７８】
スキャン指示のコマンドを受信するとジョブ制御部１３０３の指示によりスキャン処理を開始する。具体的には、Ｓ１４０８で、スキャン処理部１３０４は、ジョブ制御部１３０３の指示に従って、画像形成装置１の第２給紙部１３に置かれた原稿Ｇ（図１５Ｄ）をスキャンする。
【００７９】
Ｓ１４０９で、フォーム認識部１３０５は、フォーム管理部１３０６で管理しているフォームを使用してスキャンしたデータのフォームを認識し、口座情報が記載されたことを取得する。さらに、プリント画像生成部１３０８は、店側記載欄１５０７のデータを生成する。その後、Ｓ１４０５と同様に、プリント処理部１３０７は、生成した印刷データを原稿Ｇに印刷する。印刷結果を図１５Ｅに示す。図１５Ｅに示すように、店側記載欄１５０７が追加で印刷されていることがわかる。これにより、必要最低限の情報がプレ印刷された原稿Ｇ（図１５Ａ）から、全ての情報が記載された完成原稿Ｇ（図１５Ｅ）を得ることができる。
【００８０】
一方、Ｓ１４０４でフォーム認識部１３０５がその他銀行の支払い種別の領域にレ点が付けられたと判断した場合、Ｓ１４０６に進み、プリント画像生成部１３０８は、その他銀行の口座情報記載欄１５０８を生成する。その後、Ｓ１４０６で、プリント処理部１３０７は、生成した印刷データを印刷する。印刷結果を図１５Ｆに示す。
【００８１】
続いて、Ｓ１４０７で、申請人は、原稿Ｇに追記された口座情報記載欄１５０８に、個人の口座情報１５０９を記載する。記載結果を図１５Ｇに示す。さらに、Ｓ１４０８で、オペレータは、原稿Ｇ（図１５Ｇ）を画像形成装置１の第２給紙部１３にセットし、操作部８０５を使用して画像形成装置１にスキャン指示を出す。ここで、画像形成装置１は、操作部８０５を介したスキャン指示をコマンド受信部１３０２によって受信する。
【００８２】
スキャン指示のコマンドを受信するとジョブ制御部１３０３の指示によりスキャン処理を開始する。具体的には、Ｓ１４０８で、スキャン処理部１３０４は、ジョブ制御部１３０３の指示に従って、画像形成装置１の第２給紙部１３に置かれた原稿Ｇ（図１５Ｇ）をスキャンする。
【００８３】
Ｓ１４０９で、フォーム認識部１３０５は、フォーム管理部１３０６で管理しているフォームを使用してスキャンしたデータのフォームを認識し、口座情報が記載されたことを取得する。さらに、プリント画像生成部１３０８は、店側記載欄１５１０のデータを生成する。その後、Ｓ１４０５と同様に、プリント処理部１３０７は、生成した印刷データを原稿Ｇに印刷する。印刷結果を図１５Ｈに示す。これにより、必要最低限の情報がプレ印刷された原稿Ｇ（図１５Ａ）から、すべての情報が記載された完成原稿Ｇ（図１５Ｈ）を得ることができる。
【００８４】
なお、ここでは一例として申請人とオペレータの操作として説明したが、これに限られるものではない。必ずしも複数人の操作である必要はなく、１人の操作で印刷を行うことも可能である。また、ここでは一例として口座の申込書で説明したが、これに限られるものではない。どのような内容の印刷物であっても、同様の方法で形成されている画像を解析して、その画像に応じて適切な追加の画像を上書きすることが可能である。
【００８５】
以上説明したように、本実施形態によれば、申請書等の記載の際に、その時に必要な記載欄を印刷することにより、記載内容に迷うことなく迅速に処理することができる。具体的には、必要な記載欄を印刷し、当該箇所に記載された申請書がスキャンされると、さらに追加の記載欄を印刷し、申請人に記載を促す。このように、本願発明によれば、所定の単位で記載欄を印刷し、当該記載欄への記載が確認できると次の記載欄を印刷する。このような処理を必要なだけ繰り返し、全項目に記載が完了した申請書を作成することができる。また、金融機関名と金融機関コードのような同じ情報を異なる形式で記載することがない。ここでは、画像形成装置として電子写真方式を用いて説明した。しかしながら、本発明は電子写真方式に限定されるものではなく、インクジェット方式など他の画像形成装置にも適用される。
【００８６】
＜第２の実施形態＞
以下では、本発明の第２の実施形態について説明する。本実施形態では、原稿Ｇへ予め二次元バーコードを印刷しておき、この二次元バーコードによりフォームを特定する制御について説明を加える。なお、本実施形態では、上記第１の実施形態と同一の構成については同一の符号を付加し、説明を省略する。図１７は、本実施形態における二次元バーコード１７０１を印刷した原稿Ｇの一例を示す。図１７に示すように、図１５Ａの申請書（原稿Ｇ）に対して、さらに、二次元バーコード１７０１が追加されている。
【００８７】
フォーム認識部１３０５は、スキャン処理部１３０４でスキャンしたデータ内に二次元バーコード１７０１を発見した場合、そのコードをデコードし、埋め込まれた情報、ここではフォームＩＤを取得する。本実施形態では、印刷情報として上記第１実施形態において説明した印刷可能箇所、印刷データ、及び記載内容判別領域データのほかに、フォームＩＤを用いる。フォームＩＤとは、複数の異なるフォーム毎に個別に割り当てられたＩＤであり、フォームＩＤを使用するとスキャンしたデータがどのフォームであるかを容易に判別することができる。フォーム認識部１３０５は、このフォームＩＤを使用して、フォーム管理部１３０６より、対応する印刷可能箇所、印刷データ、及び記載内容判別領域データを取得し、プリント画像生成部１３０８に通知する。プリント画像生成部１３０８が特定した印刷情報から原稿に追記する印刷画像を生成する以降の処理は、上記第１の実施形態と同様であるため、ここでは省略する。
【００８８】
一般的には、上記第１の実施形態で説明したテンプレートマッチングによるフォーム判定処理には、ある程度の処理時間が必要となる。種々のテンプレートを変更しながら、テンプレートとテンプレートに重なる部分の画像の類似度を計算していく方式であり、類似度の計算量が膨大になるためである。しかしながら、二次元バーコードは情報の読み取りに特化されたコードであるため、必要な情報を得るために必要な計算量を抑えることができ、高速に処理を行うことが可能である。
【００８９】
以上説明したように、本実施形態によれば、事前に印刷された原稿に予めフォームを判定するために必要なコードを記載することにより、原稿のフォーム特定を高速化することができる。即ち、図１４のＳ１４０３で行われるフォームの認識処理の処理負荷を軽減することができる。なお、記載内容によって、その後の印刷内容が変わる場合には図１５Ｃに相当する印刷においても上述したような二次元バーコードを印刷するようにしてもよい。また、本実施形態では、フォームを示す情報として二次元バーコードを例に挙げたが、本発明はこれに限定されず、他の形式の情報を印刷してもよい。
【００９０】
＜第３の実施形態＞
以下では、本発明の第３の実施形態について説明する。本実施形態では、原稿Ｇへ手書きされた情報を文字認識し、その内容によって原稿Ｇに追記する内容を変更する制御について説明を加える。なお、本実施形態では、上記第１の実施形態と同一の構成については同一の符号を付加し、説明を省略する。図１８Ａ乃至図１８Ｃに本実施形態における原稿Ｇを示す。図１８Ａに示す原稿は、上記第１の実施形態における図１５Ｃに示す原稿に対応するものであり、図１５Ｃと比較すると、１８０１に示すように、金融機関コード及び支店コードの記載欄の代わりに、金融機関名及び支店名の記載欄が存在する。本実施形態における処理手順については、基本的に図１４のフローチャートと同一であるが、本実施形態に係るＳ１４０８では、さらにフォーム認識部１３０５が行う処理が追加される。以下では当該追加された処理について主に説明する。
【００９１】
フォーム認識部１３０５は、図１８Ｂに示す申請人によって記載された原稿をスキャンし、フォーム管理部１３０６が管理している領域情報を用いて銀行名及び支店名が記載される領域を特定し、そこに記載された画像を切り抜く。切り抜いた画像を図１９に示す。１９０１が記載された銀行名を切り抜いた画像であり、１９０２が記載された支店名を切り抜いた画像である。
【００９２】
続いて、フォーム認識部１３０５は、切り抜いた画像から光学文字認識技術を用いて申請人が手書きした内容を認識する。本実施形態の例によれば、“日本＊＊銀行下丸子支店”であることが分かる。前述の金融機関コード及び支店コードは、統一金融機関コードを記載する欄であるため、銀行名及び支店名が決定されればおのずと決定するものである。このコードを仮に、金融機関コード１２３４及び支店コード５６７であると仮定する。
【００９３】
金融機関コード及び支店コードが決定すると、Ｓ１４０８で、プリント画像生成部１３０８は、金融機関コード及び支店コード欄データを生成する。Ｓ１４０９で、プリント処理部１３０７は、店側記載欄データと合わせて金融機関コード及び支店コード欄１８０４を印刷する。印刷結果を図１８Ｃに示す。
【００９４】
以上説明したように、本実施形態によれば、申請人が手書きした銀行名及び支店名を認識することにより、貯金口座振替依頼書に必要な金融機関コード及び支店コードを生成することができ、記載内容をさらに減少させることができる。つまり、本実施形態によれば、申請人の記載内容に従ってその後に印刷する内容を変更することができる。
【００９５】
＜その他の実施形態＞
上記実施形態においては、一例としてモノクロ画像を形成する画像形成装置を説明したがこれに限られるものではない。カラー画像を形成する画像形成装置においても、上記実施形態で説明した方法により、画像形成を行うことが可能である。
【００９６】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００９７】
５：第１の搬送路（記録材搬送路）、１５：第２の搬送路（原稿搬送路）、１１：光学ユニット、２１：印刷部、１：画像形成装置、５０：画像読取部、８０１：制御ＣＰＵ、１２２１：画像形成ＣＰＵ、Ｇ：原稿、Ｓ：記録紙
【図１】
2016165077.tif 000004
【図２】
2016165077.tif 000005
【図３】
2016165077.tif 000006
【図４】
2016165077.tif 000007
【図５】
2016165077.tif 000008
【図６】
2016165077.tif 000009
【図７】
2016165077.tif 000010
【図８】
2016165077.tif 000011
【図９】
2016165077.tif 000012
【図１０】
2016165077.tif 000013
【図１１】
2016165077.tif 000014
【図１２】
2016165077.tif 000015
【図１３】
2016165077.tif 000016
【図１４】
2016165077.tif 000017
【図１５Ａ】
2016165077.tif 000018
【図１５Ｂ】
2016165077.tif 000019
【図１５Ｃ】
2016165077.tif 000020
【図１５Ｄ】
2016165077.tif 000021
【図１５Ｅ】
2016165077.tif 000022
【図１５Ｆ】
2016165077.tif 000023
【図１５Ｇ】
2016165077.tif 000024
【図１５Ｈ】
2016165077.tif 000025
【図１６Ａ】
2016165077.tif 000026
【図１６Ｂ】
2016165077.tif 000027
【図１７】
2016165077.tif 000028
【図１８Ａ】
2016165077.tif 000029
【図１８Ｂ】
2016165077.tif 000030
【図１８Ｃ】
2016165077.tif 000031
【図１９】
2016165077.tif 000032